(57)【要約】  手軽に動物の腋窩に電極を押し付けて、長時間の生体情報の計測が可能な装着具を実現する。装着具（１、１ａ〜１ｇ）は、犬の左右の腋窩に配置される、心電図を記録するための電極（２ａ、２ｂ）と、腋窩に当接し、電極（２ａ、２ｂ）を腋窩に押し付ける引き上げバンド（３）と、犬の前胸部を横切る方向に配置され、左右の引き上げバンド（３）を互いに引き寄せる引き寄せバンド（４）とを備える。
2017026416.tif 000002
【特許請求の範囲】
【請求項１】
動物に装着させて、該動物の生体情報を測定する生体情報測定具であって、
上記動物の左右の腋窩の少なくとも一方に配置され、上記生体情報を測定する１つ以上の測定部と、
上記左右の腋窩の一方に当接する第１当接部と、
上記左右の腋窩の他方に当接する第２当接部と、
上記第１当接部を上記動物の背中側へ引き上げる第１引き上げ部と、
上記第２当接部を上記背中側へ引き上げる第２引き上げ部と、
上記動物の前胸部を横切る方向に配置され、上記第１引き上げ部と上記第２引き上げ部とを互いに引き寄せる引き寄せ部とを備え、
上記第１当接部および第２当接部の少なくとも一方が、上記測定部を上記一方の腋窩に押し付けることを特徴とする生体情報測定具。
【請求項２】
上記測定部は、動物の左右の腋窩の両方に少なくとも１つずつ配置されることを特徴とする請求項１に記載の生体情報測定具。
【請求項３】
上記測定部は心電計に接続された電極であることを特徴とする請求項２に記載の生体情報測定具。
【請求項４】
上記生体情報測定具は紐形状を有しており、
上記動物の体表面に沿って装着させることを特徴とする請求項１から３のいずれか１項に記載の生体情報測定具。
【請求項５】
上記生体情報測定具は、上記動物の前肢を通す前肢挿入孔を有する衣形状であり、
上記第１当接部および上記第２当接部は、上記腋窩と接する上記前肢挿入孔の周縁部分を含むことを特徴とする請求項１から３のいずれか１項に記載の生体情報測定具。
【請求項６】
上記測定部が測定した測定値を取得して、該測定値から上記動物の生体情報を示す出力データを生成する生体情報処理部をさらに備えることを特徴とする請求項１から５のいずれか１項に記載の生体情報測定具。
【発明の詳細な説明】
【技術分野】
【０００１】
本発明の一実施態様は、生体情報測定具に関し、特に、体毛を有する動物などの生体情報の測定に適した生体情報計測具に関する。
【背景技術】
【０００２】
生活習慣病の予防および対策として、日常的な健康管理が重要であることが広く認識されている。そして、体温、体重、体脂肪（内臓脂肪を含む）、骨密度、血圧、または運動量（歩数、消費カロリー換算値など）などの生体情報を日常的に測定し記録することにより、各人が自分の健康管理を自分自身で行うことが注目されている。【０００３】
近年では、人間（飼い主）と同様、愛玩動物（ペット）においても日常的な健康管理が重要であることが、飼い主によって認識されるようになり、飼い主がペットの生体情報の測定を手軽に行うことへのニーズが高まっている。【０００４】
ペットの生体情報を測定する技術の一例としては、以下の特許文献１および特許文献２に開示されたものが挙げられる。特許文献１には、検査を行う犬等の動物の生体情報モニタ部位の毛刈りを予め行う必要がないか、毛刈りを行う必要があっても飼い主などの了解が簡単に得られる程度の最小限の長さで済み、心電図などの生体情報を良好にモニタすることができる動物の生体情報モニタ用固定具および動物の生体情報モニタ方法が開示されている。【０００５】
特許文献２には、ペットの体脂肪を、多くの手間を要することなく、インピーダンス法によって容易かつ精度良く測定できるペット用体脂肪測定具が開示されている。
【先行技術文献】
【特許文献】
【０００６】
【特許文献１】日本国公開特許公報「特開２００６−１４１４６７号公報（公開日：２００６年  ６月  ８日）」
【特許文献２】日本国公開特許公報「特開２００５−  ２７６６１号公報（公開日：２００５年  ２月  ３日）」
【発明の概要】
【発明が解決しようとする課題】
【０００７】
しかしながら、上記の特許文献１に記載された動物の生体情報モニタ用固定具は、犬の長時間心電図検査に適用可能であるものの、生体情報モニタ用センサ（電極）を犬（ビーグル）の胸部に装着する際、できる限り被毛を掻き分けた前胸部にＭ−Ｘ誘導配置で装着することが必要である。それゆえ、誰もが計測可能に装着させることは困難な構成であり、検査機関での検査向けに発案されたものであると言える。【０００８】
さらに、特許文献１に記載された実施例で用いられているような、短毛種のビーグルなどであれば、被毛を掻き分けるだけで電極を装着させることができるが、ビーグルよりも長い体毛を有する長毛種やダブルコートを有する犬種の犬の胸部に電極を装着する場合には、ビーグルの被毛程度まで胸部の毛刈りを行う必要がある。【０００９】
特許文献２に記載されたペット用体脂肪測定具は、インピーダンスを測定するための電極をペットの脇の下（腋窩）、そけい部（下腹部の下肢に接する内側）、または四肢の体毛の薄い部位に押し付けた状態に保持するための固定具を有している。一般に、犬などの動物の胸部には体毛が多く生えているが、脇の下、そけい部は体毛が薄い。それゆえ、特許文献２に記載の動物用生体情報測定具を装着するために、ペットの毛刈りしたり剃毛したりする必要はない。【００１０】
しかし、特許文献２に記載されたペット用体脂肪測定具は、比較的短時間で測定可能なインピーダンスを測定するものであるため、ペットに電極を長時間装着させることを想定していない。それゆえ、特許文献２に記載のペット用体脂肪測定具によってペットの脇の下、そけい部、または四肢の体毛の薄い部位に押し付けられた電極は、犬や猫などのペットが激しく動作した場合、あるいは横たわるなど姿勢を変更した場合に、外れたり、位置がずれたりする虞がある、という問題がある。【００１１】
本発明の一実施態様は、上記の問題点を解決するためになされたもので、その目的は、動物の生体情報を測定する測定部を、手軽にかつ安定的に当該動物の腋窩に配置することが可能な生体情報測定具等を実現することにある。
【課題を解決するための手段】
【００１２】
上記の課題を解決するために、本発明の一実施態様に係る生体情報測定具は、動物に装着させて、該動物の生体情報を測定する生体情報測定具であって、上記動物の左右の腋窩の少なくとも一方に配置され、上記生体情報を測定する１つ以上の測定部と、上記左右の腋窩の一方に当接する第１当接部と、上記左右の腋窩の他方に当接する第２当接部と、上記第１当接部を上記動物の背中側へ引き上げる第１引き上げ部と、上記第２当接部を上記背中側へ引き上げる第２引き上げ部と、上記動物の前胸部を横切る方向に配置され、上記第１引き上げ部と上記第２引き上げ部とを互いに引き寄せる引き寄せ部とを備え、上記第１当接部および第２当接部の少なくとも一方が、上記測定部を上記一方の腋窩に押し付ける。
【発明の効果】
【００１３】
本発明の一実施態様によれば、動物の生体情報を測定する測定部を、手軽にかつ安定的に当該動物の腋窩に配置させることを可能とするという効果を奏する。
【図面の簡単な説明】
【００１４】
【図１】本発明の実施形態１に係る装着具の概略構成の一例を示す図である。
【図２】図１に示す心電測定具の固定バンドを犬に装着させた状態を、犬の（ａ）正面、（ｂ）側面、（ｃ）背側、および（ｄ）腹側についてそれぞれ示す図である。
【図３】本発明の実施形態１に係る装着具の別の概略構成の一例を示す図である。
【図４】本発明の実施形態２に係る装着具の概略構成の一例を示す図である。
【図５】本発明の実施形態２に係る装着具の別の概略構成の一例を示す図である。
【図６】本発明の実施形態３に係る装着具を犬に装着させた状態の典型例を示す斜視図である。
【図７】心電計の本体を収納する収納ポケットの外観の一例を示す斜視図である。
【図８】（ａ）は実施形態１に係る装着具を犬に装着させて記録された心電図の波形の一例を示す図であり、（ｂ）は電極が正しく腋窩に押し付けられていない状態における波形の一例を示す図である。
【図９】本発明の一実施態様に係る装着具の別の形状例を示す模式図である。
【発明を実施するための形態】
【００１５】
以下では、本発明の一実施態様に係る生体情報測定具を、心電図データの記録のための電極を動物に装着させる装着具１に適用した例について説明する。この装着具１は、２つの電極と、動物の心電図データを記録する心電計の本体１０（心電計、生体情報処理部）を備えている。なお、本発明の一実施態様に係る生体情報測定具は、装着具１に限定されず、例えば、動物の体温測定、脈波測定、発汗量測定、呼吸数測定、および体脂肪測定などのための電極やセンサを、動物の左右の腋窩のいずれか一方に装着させる場合にも適用可能である。
【００１６】
また、以下では犬の心電図を記録するための電極を固定する装着具１について説明するが、生体情報の測定対象となる動物は、犬に限定されず、さまざまな動物に適用可能である。例えば、猫や兎などのペットに適用してもよいし、馬や牛などの家畜に適用してもよい。あるいは、ライオンやチンパンジーなど動物園などの飼育動物に適用してもよい。
【００１７】
人間の場合と同様、ペットの不整脈および狭心症も運動（負荷）などとは無関係に発作が突発的に起きる。それゆえ、通常の健康診断のように、短時間の心電図検査や負荷心電図検査では、不整脈および狭心症に関する診断はできない。軽度の不整脈や軽度の狭心症の症状を早期に発見し、重篤化する前に適切な処置を行うためには、例えば、２４時間または４８時間或いはそれ以上の長時間に渡り、連続して心電図データを記録する心電図検査を普段から行うことが望ましい。長時間の生体情報の測定を行うためには、生体情報を測定するための測定部（電極など）を、装着させる者が誰であっても、当該動物に手軽にかつ安定的に装着させる必要がある。また、人間と違い、動物に対しては安静を強いることが困難であるため、動物が動く、あるいは姿勢を変更するなどを行っても、測定部が動物に対してずれない、あるいは、ずれたとしても測定するのに適切な位置に簡単に戻るなどの機能が必要である。
【００１８】
〔実施形態１〕
（装着具１の構造）
まず、本発明の一実施形態に係る装着具１の構造について、図１を用いて説明する。図１は、装着具１の外観の一例を示す図である。図１に示すように、装着具１は、電極２ａ（測定部）、電極２ｂ（測定部）、引き上げバンド３（第１当接部、第２当接部、第１引き上げ部、第２引き上げ部）、および引き寄せバンド４（引き寄せ部）を備えている。
【００１９】
引き上げバンド３は紐形状を有しており、電極２ａおよび２ｂをそれぞれ左右の腋窩に配置させるために、犬の体表面に沿って装着させるためのものである。それゆえ、引き上げバンド３は、犬の腋窩に当接する部分（第１当接部、第２当接部）を含んでいる。引き上げバンド３の一部分または全体は、例えば、伸縮性を有する材料（ゴムベルトなど）により構成されており、部位Ａと部位Ｆとの間の距離を伸ばす方向に張力（引き上げ力）を加えた場合、部位Ａと部位Ｆとの距離を復元するような応力（電極２ａおよび２ｂを腋窩に押し付ける力）を生じる。
【００２０】
引き上げバンド３には、犬に装着させた引き上げバンド３の長さを調節するともに、腋窩に適当な応力が加わった状態を保持するためのバックル（締結具）８ａおよびバックル（締結具）９ａを備えている。バックル８ａおよび９ａは、ベルト、紐、帯などの締め具に適用される任意の機構を用いたものでよく、その材質は、金属製であってもよいし、プラスチック製であってもよい。なお、バックル８ａおよび８ｂは引き上げバンド３の必須の構成ではない。例えば、引き上げバンド３の両方の端部をユーザに結ばせる構成、あるいは面ファスナーを用いる構成などであってもよいし、長さ調節用のアジャスタ（図示せず）を併用してもよい。
【００２１】
電極２ａおよび２ｂは、心筋の興奮による活動電流（測定値）を測定するための双極電極（誘電電極）であり、第１電極および第２電極のいずれか一方は、アース電極としての機能も具備している。心臓を挟んで左右の腋窩それぞれに１つずつ配置される。図１に示す装着具１では、犬の腋窩に配置されるように、引き上げバンド３の区間ＢＣおよび区間ＤＥにそれぞれ配設されている（図２参照）。
【００２２】
なお、引き上げバンド３によって腋窩に押し当てられた電極２ａおよび２ｂの密着性を向上させるために、電極２ａおよび２ｂと引き上げバンド３との間には、スポンジなどの弾性素材を配してもよい。あるいは、電極２ａおよび２ｂの形状が、押し当てられた腋窩の形状に合わせて変形し得る柔軟な網状または櫛状の形状であってもよい。これにより、犬が歩いたり走ったりしても、電極２ａおよび２ｂは腋窩との接触を確実に維持することができる。
【００２３】
電極２ａおよび２ｂは、それぞれ心電計の本体１０と、導電性の材質（例えば、金属や導電性を有する有機材料）を含む接続コード６（接続部材）を介して電気的に接続されており、測定した活動電流を示す信号を、ホルター心電図誘導法を適用した心電計の本体１０に送る。
【００２４】
なお、電極２ａおよび２ｂとしては、ジェルを塗布した上で装着させるウェット電極であってもよいし、ジェルの塗布を必要としないドライ電極であってもよい。ただし、腋窩に長時間装着させて使用する場合には、ジェルの塗布が不要であり、かつ腋窩の肌荒れの心配の無いドライ電極が望ましい。
【００２５】
なお、装着具１は、測定する生体情報に応じて、電極２ａおよび２ｂの両方を備える構成であってもよいし、電極２ａおよび電極２ｂのいずれか一方のみを備える構成であってもよい。例えば、動物の体温測定、脈波測定、発汗量測定、および体脂肪測定などのための電極やセンサに装着具１を適用する場合には、左右のいずれかの腋窩に電極またはセンサを配置して、腋窩に押し付ければよい。
【００２６】
引き寄せバンド４は、犬の前胸部を横切る方向に配置され、犬の左右の前胸部を通過する引き上げバンド３を互いに引き寄せる。引き上げバンド３と同様、引き寄せバンド４の一部分または全体は、例えば、伸縮性を有する材料（ゴムベルトなど）により構成されていてもよい。また、引き寄せバンド４が引き上げバンド３を引き寄せた状態を保持するためのバックル８ｂおよび９ｂを備えていてもよい。
【００２７】
心電計の本体１０は、電極２ａおよび２ｂが測定した心筋の興奮による活動電流を取得して、該活動電流から犬の心電図を示す出力データを生成する。図示された心電計の本体１０では、生成した出力データを表示する表示部１１、心電図データの記録の開始や終了を指示するユーザの操作などを受け付けるＯＮ／ＯＦＦボタン１２、および電極２ａおよび２ｂのいずれかが正しく腋窩に押し付けられているか否かの判定結果を通知する赤／青ランプ１３を備えていてもよい。
【００２８】
（装着具１装着した状態）
続いて、装着具１を犬に装着させた状態について、図２を用いて説明する。図２は、図１に示す心電測定具の固定バンドを犬に装着させた状態を、犬の（ａ）正面、（ｂ）側面、（ｃ）背側、および（ｄ）腹側についてそれぞれ示す図である。図２に示す例では、引き上げバンド３の端部Ａおよび端部Ｆを犬の背中に位置させて、引き上げバンド３が背中で交差するように犬に装着させている。
【００２９】
引き上げバンド３の各区間は、下記のように犬の体表面と接している。
区間ＡＢ（第１引き上げ部、第２引き上げ部）：背中から左前肢の腋窩の前側まで
区間ＢＣ（第１当接部、第２当接部）：左の腋窩
区間ＣＤ（第１引き上げ部、第２引き上げ部）：左前肢の腋窩の後側から右前肢の腋窩の前側まで
区間ＤＥ（第１当接部、第２当接部）：右の腋窩
区間ＥＦ（第１引き上げ部、第２引き上げ部）：右前肢の腋窩の後側から背中まで。
【００３０】
一方、引き寄せバンド４は、犬の前胸部を横切る方向（図示の区間ＫＬ間）に引き上げバンド３を引き寄せている。
【００３１】
なお、図２に示す例とは逆に、引き上げバンド３を、区間ＢＣが右の腋窩に当接し、区間ＤＥが左の腋窩に当接するように、犬に装着させてもよい。また、図１に示す引き上げバンド３を犬の胴体部分に２回以上巻きつけるように装着させてもよい。
【００３２】
図２に示す引き上げバンド３および引き寄せバンド４は、次のように表現することも可能である。引き上げバンド３は、犬（動物）の腋窩の前側から当該犬の肩または背中へ向かう方向（第１方向）、および該腋窩の後側から該犬の肩または背中へ向かう方向（第２方向）へ区間ＢＣおよび区間ＤＥを引き上げるようにして、電極２ａおよび２ｂを腋窩に押し付けている。一方、引き寄せバンド４は、区間ＢＣおよび区間ＤＥを第１方向へ引き上げている引き上げバンド３を、犬の前胸部を横切る方向（第３方向）へ引き寄せている。
【００３３】
この構成によれば、装着具１は、引き上げバンド３が電極２ａおよび２ｂを腋窩に押し付けた状態を維持し、引き寄せバンド４が引き上げバンド３の位置がずれないように維持している。これにより、犬が自由に動いても、犬の腋窩に押し付けられた電極２ａおよび２ｂが腋窩から離れたり、押し付けた位置がずれたりしない。
【００３４】
また、装着具１を犬に装着させることは困難ではなく、例えば、飼い主が容易になし得る。したがって、装着具１を利用すれば、簡便に、電極２ａおよび２ｂを犬の腋窩に押し付けた状態を安定的に保持することができる。それゆえ、ペットの体に電極などを装着する場合には、当該電極を装着する位置の体毛を刈ったり、生体情報の測定中に、装着した電極がはずれないように、ペットの身体を拘束したりすることなく、生体情報の測定を行うことが可能である。
【００３５】
（変形例）
図１では、引き寄せバンド４が引き上げバンド３と別体である例を示しているが、これに限定されない。例えば、図３に示すように、引き寄せバンド４と引き上げバンド３とを一体として構成してもよい。図３は、装着具１ｂの別の概略構成の一例を示す図である。
【００３６】
図３に示す装着具１ｂでは、引き寄せバンド４の一方の端部を引き上げバンド３の部位Ｋに固定することにより、引き寄せバンド４と引き上げバンド３とを一体として構成している。引き寄せ部４の部位Ｋと反対側の端部にはバックル８ｂが設けられている。バックル８ｂと引き上げバンド３の部位Ｌに配設されたバックル９ｂとを接続させることによって、引き寄せ部４は、犬の前胸部を横切る方向（区間ＫＬ間、図２参照）に引き上げバンド３を引き寄せることができる。
【００３７】
〔実施形態２〕
次に、犬の前肢を通す前肢挿入孔５０ａおよび５０ｂを具備する装着具１ｃについて、図４を用いて説明する。図４は、実施形態２に係る装着具１ｃの概略構成の一例を示す図である。なお、説明の便宜上、前記実施形態にて説明した部材と同じ機能を有する部材については、同じ符号を付記し、その説明を省略する。
【００３８】
装着具１ｃは、左前肢を通す前肢挿入孔５０ａを有する引き上げバンド３ａ（第１当接部、第２当接部、第１引き上げ部、第２引き上げ部）と、右前肢を通す前肢挿入孔５０ｂを有する引き上げバンド３ｂ（第１当接部、第２当接部、第１引き上げ部、第２引き上げ部）とを含んでいる。引き上げバンド３ａと引き上げバンド３ｂは、バックル８ａおよびバックル９ａを用いて互いに接続することができる。
【００３９】
前肢挿入孔５０ａの周縁部分である、犬の腋窩に接する区間ＢＣ（第１当接部、第２当接部）に電極２ａ（測定部）が配され、前肢挿入孔５０ｂの周縁部分である、犬の腋窩に接する区間ＤＥ（第１当接部、第２当接部）に電極２ｂ（測定部）が配されている。例えば、前肢挿入孔５０ａに左の前肢を通し、前肢挿入孔５０ｂに右の前肢を通して、引き上げバンド３ａと引き上げバンド３ｂとを背中で接続した場合、電極２ａは左の腋窩に押し付けられ、電極２ｂは右の腋窩に押し付けられる。そして、犬の前胸部を横切る方法に配置された引き寄せバンド４が、引き上げバンド３ａと引き上げバンド３ｂとを互いに引き寄せる。
【００４０】
あるいは、犬の前肢を通す前肢挿入孔５０ａおよび５０ｂを有する装着具１ｄを、図５に示すように構成してもよい。図５は、装着具１ｄの概略構成の一例を示す図である。
【００４１】
装着具１ｄは、引き上げバンド３ｃ（第１当接部、第２当接部、第１引き上げ部、第２引き上げ部）の一部に布部７を備え、該布部７は、左前肢を通す前肢挿入孔５０ａおよび右前肢を通す前肢挿入孔５０ｂを有している。そして、前肢挿入孔５０ａの周縁部分である、犬の腋窩に接する区間ＢＣに電極２ａが配され、前肢挿入孔５０ｂの周縁部分である、犬の腋窩に接する区間ＤＥに電極２ｂが配されている。また、引き上げバンド３ｃは、犬の背中部において互いに接続することができるバックル８ａおよびバックル９ａを備えている。
【００４２】
例えば、前肢挿入孔５０ａに左の前肢を通し、前肢挿入孔５０ｂに右の前肢を通して、引き上げバンド３ｃのバックル８ａおよびバックル９ａを背中で接続した場合、電極２ａは左の腋窩に押し付けられ、電極２ｂは右の腋窩に押し付けられる。
【００４３】
なお、電極２aおよび電極２ｂは、布部７、または前肢挿入孔５０ａおよび５０ｂに対して、例えば脱着可能であってもよい。このように構成すれば、電極２aおよび電極２ｂのそれぞれ位置を、犬の体格に合わせて容易に変更することができる。
【００４４】
また、布部７はジャージーなどに代表されるニット生地や、柔らかいシリコーンなどのように、適度な伸縮性を持ったものを含んで構成してもよい。このように構成することにより、装着具１ｃを装着させた犬に不快感を与えることを抑制して、装着具１ｃの装着時の快適性を向上させることができる。
【００４５】
〔実施形態３〕
本発明の他の実施形態について、図６に基づいて説明すれば、以下のとおりである。図６の（ａ）は、実施形態３に係る装着具１ｅを犬に装着させた状態の典型例を示す斜視図であり、図６の（ｂ）は、実施形態３に係る装着具１ｆを犬に装着させた状態の典型例を示す斜視図である。なお、説明の便宜上、前記実施形態にて説明した部材と同じ機能を有する部材については、同じ符号を付記し、その説明を省略する。
【００４６】
装着具１ｅおよび１ｆは、犬の前肢を通す前肢挿入孔５０ａおよび５０ｂを有する衣形状を有する。そして、犬の腋窩に接する、前肢挿入孔５０ａおよび５０ｂの周縁部分には、腋窩に配置される電極２ａ（測定部）および２ｂ（測定部）が配されている。そして、電極２ａおよび２ｂの位置がずれることのないように、前肢挿入孔５０ａおよび５０ｂの周縁部分の、腋窩に接する部分（第１当接部、第２当接部）を背中側へ引き上げる引き上げ機構３ｄ（第１当接部、第２当接部、第１引き上げ部、第２引き上げ部）（破線）を有し、その引き上げ機構３ｄの上もしくは下に衣形状の布部７を具備している。
【００４７】
引き上げ機構３ｄとしては、紐、ベルト、ゴムベルトであってもよく、布部７にベルト通しのようなガイド部（図示せず）を設け、ガイド部に引き上げ機構３ｄを通すようにしてもよい。あるいは、布部７の腋窩と接する部分を背中側へ引き上げる力を発生させるように、布部７の編み方を段階的に変化させてもよい。この場合、布部７と引き上げ機構３ｄとは一体として構成される。
【００４８】
図６の（ａ）に示す装着具１ｅは、引き寄せバンド４（引き寄せ部）（破線）を備えており、引き上げ機構３ｄを犬の前胸部にて互いに引き寄せている。一方、図６の（ｂ）に示す装着具１ｆは、引き寄せ機構４ｄ（引き寄せ部）（破線）を備え、引き上げ機構３ｄを犬の前胸部にて互いに引き寄せている。引き寄せ機構４ｄは、引き上げ機構３ｄと同様、紐、ベルト、ゴムベルトであってもよいし、布部７の編み方を段階的に変化させて布部７と一体として構成されてもよい。
【００４９】
なお、布部７は、犬の全身を覆うように設けられてもよいし、上半身または背中側など犬の身体の一部にのみ装着されるように設けられてもよい。
【００５０】
また、引き上げ機構３ｄは、前述の前肢挿入孔５０ａおよび５０ｂの周縁部分のように、犬の前肢を通す環形状として構成することに限定されない。例えば、引き上げ機構３ｄの一部を、図１などに示す引き上げバンド３と同様の紐形状としてもよい。例えば、装着具１ｆは、犬の背中および肩に被せるように構成されている布部７と、犬に装着具１ｆを装着させた場合に、左右１本ずつの紐形状の引き上げ機構３ｄが犬の左右の肩にそれぞれ当接する位置の布部７に配されており、犬の前胸部を横切る方向に配置され、左右の引き上げ機構３ｄを互いに引き寄せる引き寄せ機構４ｄを備える構成であってもよい。このように構成された装着具１ｆは、紐形状の引き上げ機構３ｄを犬の腋窩側に通し、引き上げ機構３ｄの当該腋窩に当接する領域を犬の背中側に引き上げるようにして、犬に装着させることができる。なお、犬に装着具１ｆを装着させたとき、布部７が引き上げ機構３ｄおよび引き寄せ機構４ｄを覆うように構成されていてもよい。
【００５１】
（変形例）
装着具１、１ａ〜１ｆを犬に装着させた場合に、心電計の本体１０や接続コード６が、犬の動きを阻害する虞がある。このような場合には、心電計の本体１０や接続コード６を、収納ポケット１５（リュック）に収納して、犬に背負わせてもよい。
【００５２】
ここでは、装着具１に収納ポケット１５（リュック）を組み合わせた装着具１ｇの構成について、図７を用いて説明する。図７は、心電計の本体１０を収納する収納ポケット１５の外観の一例を示す斜視図である。
【００５３】
なお、収納ポケット１５を背負わせるためのバンド１４は、収納ポケット１５が確実に犬に固定されるように、犬の胴部を強く締める必要はない。ただし、収納ポケット１５に心電計の本体１０などを格納した場合に、その重みで装着具１ｇの引き上げバンド３などの位置をずらすことが無い程度に、装着具１ｇを固定することが望ましい。
【００５４】
例えば、収納ポケット１５の裏側にベルト通しを設け、ベルト通しに装着具１ｇの引き上げバンド３を通す構成であってもよい。
【００５５】
なお、心電計の本体１０や接続コード６が十分に小型かつ軽量であった場合には、装着具１ｇの任意の場所、または犬が装着している首輪などのアクセサリーに、収納ポケット１５を設ける構成であってもよい。
【００５６】
あるいは、心電計の本体１０が大型であれば、心電計の本体１０を据え置き型として適用してもよく、この場合、犬を格納するゲージ等の付近に心電計の本体１０を設置して、装着具１ｇと接続コード６により電気的に接続すればよい。
【００５７】
〔実施形態４〕
図８の（ａ）は実施形態１に係る装着具１を犬に装着させて記録された心電図の波形の一例を示す図であり、（ｂ）は電極２ａ（測定部）および２ｂ（測定部）のいずれかが正しく腋窩に押し付けられていない状態における波形の一例を示す図である。
【００５８】
電極２ａおよび２ｂによって、心筋の興奮による活動電流が測定された場合、図８の（ａ）のように、ベースライン上にハムノイズなどが重畳した心電図の波形として記録される。
【００５９】
典型的な心電図は、Ｐ、Ｑ、Ｒ、Ｓ、およびＴの各波からなる。電極２ａおよび２ｂによって記録される心電図では、Ｐ、Ｑ、Ｒ、Ｓ、およびＴの各波の全てが明確に記録されてもよいし、各波のうちの少なくとも１つの波が繰り返し明確に記録されていてもよい。図８の(ａ)では、Ｐ、Ｑ、Ｒ、Ｓ、およびＴの各波のうち、Ｒ波が繰り返し（およそ１秒間に１回）明確に測定されている例を示す。
【００６０】
図８の(ａ)に示す心電図から、心拍数を計測したり、心室および心房の興奮の正常／異常を検知したりすることができる。しかし、図８の（ｂ）に示すように、心筋の興奮による活動電流の測定の具合が良くない場合には、ベースライン上のハムノイズの振幅と、活動電流に対応する波の振幅との間に有意な差異が無い。このような場合、電極２ａおよび２ｂのいずれかが正しく腋窩に押し付けられていない状態である。
【００６１】
心電計の本体１０が、電極２ａおよび２ｂのいずれかが正しく腋窩に押し付けられているか否かを判定する判定機構を備え、判定結果を飼い主に通知する通知部（赤／青ランプ、音声出力部など）を備える構成であってもよい。例えば、心電計の本体１０は、図８の（ｂ）に示すような波形が測定されている場合にはエラーを示す赤ランプを点灯させ、図８の（ａ）に示すような波形が測定されている場合には正常を示す青ランプを点灯させてもよい。また、心電計の本体１０が外部の表示装置（例えば携帯電話など）と通信を行い、判定結果を前記外部の表示装置に行わせるようにしてもよいことは言うまでもない。
【００６２】
なお、電極２ａおよび２ｂのいずれかが正しく腋窩に押し付けられていない状態であるか否かを判定する上記の判定機構は、Ｓ／Ｎ比の算出、フーリエ変換、自己相関関数の計算などを用いて判定する構成であってもよい。
【００６３】
このように、電極２ａおよび２ｂが正しく腋窩に押し付けられているか否かを判定する判定機構と通知部とを心電計の本体１０が備える構成であってもよい。この構成によれば、犬の心電図を良好に測定できる状態でないことを速やかに飼い主に知らせて、電極２ａおよび２ｂの装着をやり直すように促すことができる。なお、このような判定機構は、体温測定、脈波測定、発汗量測定、呼吸数測定、および体脂肪測定などの場合においても、同様の効果を奏する。
【００６４】
〔実施形態５〕
図９は、本発明の一実施態様における装着具１の別の形状例を示す模式図である。図９の（ａ）〜（ｄ）に示す装着具１は、非弾性部材５１ａ、５１ｂ、および５１ｃ（例えば、合成皮革、布など）で構成された部分を含んでおり、図示の例では、この非弾性部材５１ａ、５１ｂ、および５１ｃに引き上げバンド３および電極２ａおよび２ｂを接続している。前述の例と同様、引き上げバンド３は、犬の腋窩に当接する部分を含んでおり、当該部分に電極２ａおよび２ｂが配置されている。一方、引き寄せバンド４は、犬の前胸部を横切る方向へ引き上げバンド３を引き寄せる。
【００６５】
図９の（ａ）〜（ｄ）に示す装着具１を犬に装着させる場合、まず、犬の背中側から非弾性部材５１ａ、５１ｂ、または５１ｃを被せるように犬に装着させる。次に、犬の両肩部分に垂れている左右の引き上げバンド３（および電極２ａおよび２ｂ）を、それぞれ当該犬の左右の前肢の下にくぐらせる。そして、引き上げバンド３のボタン５２と非弾性部材５１ａ、５１ｂ、または５１ｃのボタン５２とを用いて引き上げバンド３と非弾性部材５１とを接続させる。
【００６６】
なお、図９の実線は、非弾性部材５１ａ、５１ｂ、および５１ｃを示し、長破線は弾性部材（例えば、引き上げバンド３）を示し、短破線は電極を示す。また、図９に示す一点鎖線は、ボタン５２やバックル（図示せず）などを用いて接続する箇所同士の関係を示している。
【００６７】
また、図９に示す装着具１は、引き寄せバンド４が非弾性部材５１ａ、５１ｂ、および５１ｃあるいは引き上げバンド３に対して一体となるよう構成されているが、これに限定されない。また、引き上げバンド３の端部と非弾性部材５１ａ、５１ｂ、および５１ｃとの接続部材としてボタン５２を使用する例について図示しているが、これに限定されず、ボタン５２の代替として、スナップ、面ファスナー、バックルなどを用いてもよいことは言うまでもない。
【００６８】
図９の（ａ）は、犬の背中側にあたる（当接する）非弾性部材５１ａをアルファベットの「Ｘ」の字のように構成した例である。引き寄せバンド４は非弾性部材５１ａの前方部に配置される。図９の（ａ）に示す装着具１を犬に装着させた場合、前述の図２の（ｃ）に示した装着時の様子と類似している。すなわち、犬の背中側の部分を非弾性部材５１ａで構成し、腋窩の部分ならびにその周辺を弾性部材から成る引き上げバンド３とした構成である。
【００６９】
図９の（ｂ）は、犬の背中側にあたる（当接する）非弾性部材５１ｂをアルファベットの「Ｋ」の字のように構成した例である。引き寄せバンド４は引き上げバンド３の前方部に配置される。このように構成すれば、犬の肩関節の周辺部分を避けて装着具１を装着させることができる。これにより、犬の肩甲骨との干渉を最小化した状態で、装着具１を犬に装着させることができるため、犬の動作に伴う肩甲骨の動きによって装着具１がずれることを回避することができる。装着具１をこのように構成した場合、例えば、比較的痩せ形の犬、特に肩甲骨の動きが外部に出やすい体型の犬に特に好適である。
【００７０】
図９の（ｃ）は、犬の背中側にあたる非弾性部材５１ｃをアルファベットの「Ｔ」の字のように構成した例である。一方、図９の（ｄ）は、背中側にあたる非弾性部材５１ｃをアルファベットの「Ｔ」の字を逆さにしたように構成した例である。図９の（ｃ）および（ｄ）ではいずれも、引き寄せバンド４は引き上げバンド３の前方部に配置される。この例も前述の図９（ｂ）の例と同様に肩甲骨との干渉を最小化することが可能となる。また、図９（ｃ）および（ｄ）の双方の特徴を取り入れたカタカナの「エ」の字のような形で非弾性部材５１ｃを構成してもよい（図示せず）。なお、図９ではいくつかの文字の形について記したが、これらに限定されない。例えば、非弾性部材５１ａ、５１ｂ、および５１ｃを「Ｙ」の字のような形にしてもよい。
【００７１】
装着具１を、図９の（ａ）〜（ｄ）に示すような構成とすることにより、装着具１の一部（例えば、腋窩に当接する部分）または全体を、犬の体へ密着させる密着度を向上させることが可能となる。これにより、犬が如何なる姿勢をとった場合にも、装着具１が犬の体表面から離れないように装着させることができるという効果を奏する。よって、多様な生体情報を、犬の動きや体勢に大きく左右されることなく測定可能な装着具１として構成することが可能となる。なお、装着具１の非弾性部材５１の内側または引き上げバンド３に、電極２ａおよび２ｂの代わりに、ＬＥＤ受発光部、サーモパイル、および各種センサなどを配置して、多用な生体情報を安定的に計測することも可能である。
【００７２】
〔まとめ〕
本発明の態様１に係る生体情報測定具（装着具１、１ａ〜１ｇ）は、動物に装着させて、該動物の生体情報を測定する生体情報測定具であって、上記動物の左右の腋窩の少なくとも一方に配置され、上記生体情報を測定する１つ以上の測定部（電極２ａ、２ｂ）と、上記左右の腋窩の一方に当接する第１当接部（引き上げバンド３、３ａ〜３ｃ、引き上げ機構３ｄ）と、上記左右の腋窩の他方に当接する第２当接部（引き上げバンド３、３ａ〜３ｃ、引き上げ機構３ｄ）と、上記第１当接部を上記動物の背中側へ引き上げる第１引き上げ部（引き上げバンド３、３ａ〜３ｃ、引き上げ機構３ｄ）と、上記第２当接部を上記背中側へ引き上げる第２引き上げ部（引き上げバンド３、３ａ〜３ｃ、引き上げ機構３ｄ）と、上記動物の前胸部を横切る方向に配置され、上記第１引き上げ部と上記第２引き上げ部とを互いに引き寄せる引き寄せ部（引き寄せバンド４、引き寄せ機構４ｄ）とを備え、上記第１当接部および第２当接部の少なくとも一方が、上記測定部を上記一方の腋窩に押し付ける。
【００７３】
上記の構成によれば、第１引き上げ部および第２引き上げ部がそれぞれ、第１当接部および第２当接部を、動物の背中側へ引き上げることにより、左右の腋窩のうち少なくとも一方に配置された測定部を腋窩に押し付ける。さらに、引き寄せ部が第１引き上げ部と第２引き上げ部とを動物の前胸部にて互いに引き寄せる。これにより、第１引き上げ部が測定部を腋窩に押し付けた状態を維持し、引き寄せ部が第１引き上げ部と第２引き上げ部の位置がずれないように維持する。よって、動物の腋窩に配置された測定部が腋窩に押し付けた状態を安定的に保持することができる。
【００７４】
本発明の態様２に係る生体情報測定具は、上記態様１において、上記測定部は、動物の左右の腋窩の両方に少なくとも１つずつ配置されてもよい。
【００７５】
このように構成すれば、第１引き上げ部および第２引き上げ部は、測定部を動物の腋窩に対して押し付けるように、腋窩を動物の背中側へ引き上げる。例えば、心電図データを記録するための電極は、左右の腋窩の両方に配置される。心電図データを記録するための電極のように、左右の腋窩の両方に対して測定部を押し付ける場合に適用することができる。
【００７６】
本発明の態様３に係る生体情報測定具は、上記態様２において、上記測定部は心電計（心電計の本体１０）に接続された電極であってもよい。
【００７７】
このように構成すれば、腋窩に電極を押し付けた状態を左右の腋窩の両方に装着させて、心電図データを記録することができる。
【００７８】
本発明の態様４に係る生体情報測定具は、上記態様１から３のいずれかにおいて、上記生体情報測定具は紐形状を有しており、上記動物の体表面に沿って装着させてもよい。
【００７９】
このように構成すれば、生体情報測定具を簡単な構造で実現することができる。
【００８０】
本発明の態様５に係る生体情報測定具は、上記態様１から３のいずれかにおいて、上記生体情報測定具は、上記動物の前肢を通す前肢挿入孔を有する衣形状であり、上記第１当接部および上記第２当接部は、上記腋窩と接する上記前肢挿入孔の周縁部分を含んでいてもよい。
【００８１】
このように構成すれば、第１当接部に含まれる前肢挿入孔の周縁部分および第２当接部に含まれる前肢挿入孔の周縁部分の少なくともいずれかに測定部を配することにより、該測定部を腋窩に押し付けることができる。
【００８２】
本発明の態様６に係る生体情報測定具は、上記態様１から５のいずれかにおいて、上記測定部が測定した測定値を取得して、該測定値から上記動物の生体情報を示す出力データを生成する生体情報処理部（心電計の本体１０）をさらに備えていてもよい。
【００８３】
本発明の実施態様は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００８４】
（関連出願の相互参照）本出願は、２０１５年８月７日に出願された特願２０１５−１５７５８６に対して優先権の利益を主張するものであり、当該出願を参照することにより、その内容の全てが本書に含まれる。
【産業上の利用可能性】
【００８５】
本発明の一実施態様は、犬などの動物に、生体情報を測定するための器具を装着させるために利用することができる。
【符号の説明】
【００８６】
１、１ａ〜１ｇ  装着具（生体情報測定具）
２ａ、２ｂ  電極（測定部）
３、３ａ〜３ｃ  引き上げバンド（第１当接部、第２当接部、第１引き上げ部、第２引き上げ部）
３ｄ  引き上げ機構（第１当接部、第２当接部、第１引き上げ部、第２引き上げ部）
４  引き寄せバンド（引き寄せ部）
４ｄ  引き寄せ機構（引き寄せ部）
１０  心電計の本体（心電計、生体情報処理部）
５０ａ、５０ｂ  前肢挿入孔
【図１】
2017026416.tif 000003
【図２】
2017026416.tif 000004
【図３】
2017026416.tif 000005
【図４】
2017026416.tif 000006
【図５】
2017026416.tif 000007
【図６】
2017026416.tif 000008
【図７】
2017026416.tif 000009
【図８】
2017026416.tif 000010
【図９】
2017026416.tif 000011
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
動物に装着させて、該動物の生体情報を測定する生体情報測定具であって、
上記動物の左の腋窩に当接する第１当接部と、
上記動物の右の腋窩に当接する第２当接部と、
上記第１当接部および上記第２当接部の少なくともいずれかに設けられた少なくとも１つの電極と、
上記第１当接部を上記動物の背中側へ引き上げる第１引き上げ部と、
上記第２当接部を上記背中側へ引き上げる第２引き上げ部と、
上記動物の前胸部を横切る方向に配置され、上記第１引き上げ部と上記第２引き上げ部とを互いに引き寄せる引き寄せ部とを備え、
上記第１当接部および第２当接部の少なくとも一方が、上記電極を上記動物の腋窩に押し付けることを特徴とする生体情報測定具。
【請求項２】
上記電極は、上記動物の左右の上記腋窩の両方に少なくとも１つずつ配置されることを特徴とする請求項１に記載の生体情報測定具。
【請求項３】
上記電極は心電計に接続された電極であることを特徴とする請求項２に記載の生体情報測定具。
【請求項４】
上記生体情報測定具は紐形状を有しており、
上記動物の体表面に沿って装着させることを特徴とする請求項１から３のいずれか１項に記載の生体情報測定具。
【請求項５】
上記生体情報測定具は、上記動物の前肢を通す前肢挿入孔をさらに有し、
上記第１当接部および上記第２当接部は、上記腋窩と接する上記前肢挿入孔の周縁部分を含むことを特徴とする請求項１から３のいずれか１項に記載の生体情報測定具。
【請求項６】
上記少なくとも１つの電極が測定した測定値を取得して、該測定値から上記動物の生体情報を示す出力データを生成する生体情報処理部をさらに備えることを特徴とする請求項１から５のいずれか１項に記載の生体情報測定具。
【請求項７】
導電性を有する物質を含む接続コードを介して上記少なくとも１つの電極と接続された心電計をさらに備え、
上記接続コードは、上記第１引き上げ部または上記第２引き上げ部に設けられていることを特徴とする請求項１に記載の生体情報測定具。
【請求項８】
上記前肢挿入孔は、第１前肢挿入孔と第２前肢挿入孔とを有し、
上記第１当接部は、上記第１前肢挿入孔の周縁部分を形成し、上記第２当接部は、上記第２前肢挿入孔の周縁部分を形成することを特徴とする請求項５に記載の生体情報測定具。
【請求項９】
上記第１当接部、上記第２当接部、上記引き寄せ部、上記第１前肢挿入孔、および上記第２前肢挿入孔を含む布部をさらに備えることを特徴とする請求項８に記載の生体情報測定具。
【請求項１０】
上記第１引き上げ部および第２引き上げ部は紐形状を有し、
上記第１引き上げ部は第１締結具を備え、上記第２引き上げ部は第２締結具を備えており、
上記第１締結具は第２締結具と接続可能であることを特徴とする請求項１に記載の生体情報測定具。
【請求項１１】
上記第１締結具が第１引き上げ部の長さを調節する機能を有するか、上記第２締結具が第２引き上げ部の長さを調節する機能を有するか、の少なくともいずれかであることを特徴とする請求項１０に記載の生体情報測定具。
【手続補正２】
【補正対象書類名】明細書
【補正対象項目名】００２０
【補正方法】変更
【補正の内容】
【００２０】
引き上げバンド３には、犬に装着させた引き上げバンド３の長さを調節するともに、腋窩に適当な応力が加わった状態を保持するためのバックル（締結具）８ａおよびバックル（締結具）９ａを備えている。バックル８ａおよび９ａは、ベルト、紐、帯などの締め具に適用される任意の機構を用いたものでよく、その材質は、金属製であってもよいし、プラスチック製であってもよい。なお、バックル８ａおよび９ａは引き上げバンド３の必須の構成ではない。例えば、引き上げバンド３の両方の端部をユーザに結ばせる構成、あるいは面ファスナーを用いる構成などであってもよいし、長さ調節用のアジャスタ（図示せず）を併用してもよい。
【手続補正３】
【補正対象書類名】明細書
【補正対象項目名】００３６
【補正方法】変更
【補正の内容】
【００３６】
図３に示す装着具１ｂでは、引き寄せバンド４の一方の端部を引き上げバンド３の部位Ｋに固定することにより、引き寄せバンド４と引き上げバンド３とを一体として構成している。引き寄せバンド４の部位Ｋと反対側の端部にはバックル８ｂが設けられている。バックル８ｂと引き上げバンド３の部位Ｌに配設されたバックル９ｂとを接続させることによって、引き寄せバンド４は、犬の前胸部を横切る方向（区間ＫＬ間、図２参照）に引き上げバンド３を引き寄せることができる。
【手続補正４】
【補正対象書類名】明細書
【補正対象項目名】００５６
【補正方法】変更
【補正の内容】
【００５６】
あるいは、心電計の本体１０が大型であれば、心電計の本体１０を据え置き型として適用してもよく、この場合、犬を格納するケージ等の付近に心電計の本体１０を設置して、装着具１ｇと接続コード６により電気的に接続すればよい。
【手続補正５】
【補正対象書類名】明細書
【補正対象項目名】００７５
【補正方法】変更
【補正の内容】
【００７５】
このように構成すれば、第１引き上げ部および第２引き上げ部は、測定部を動物の腋窩に対して押し付けるように、測定部を動物の背中側へ引き上げる。例えば、心電図データを記録するための電極は、左右の腋窩の両方に配置される。心電図データを記録するための電極のように、左右の腋窩の両方に対して測定部を押し付ける場合に適用することができる。
【国際調査報告】
2017026416.tif 000012
2017026416.tif 000013